(57)【要約】ＳＦＣ（散乱場チャンバ）内にあり、基地局シミュレータから通信を受信している通信装置受信機回路の絶対全等方感度を決定する方法が提供される。ＳＦＣにおける入射ＲＦ場の偏波を異なるように混合するように構成された複数の相異なる静的位置にＳＦＣ内のモード攪拌装置を順次動かすようにモード攪拌装置の運動が制御される。モード攪拌装置の複数の相異なる静止位置のそれぞれにおいて、複数の相異なる送信電力レベルを通じて基地局シミュレータからの送信電力レベルが変化される。複数の送信電力レベルのそれぞれにおいて、通信装置が基地局シミュレータから通信を受信するビット誤り率と受信信号強度とが測定される。測定されたビット誤り率と、測定された受信信号強度と、関連する送信電力レベルとに応じて通信装置受信機回路の絶対全等方感度が決定される。
2012517726.tif 000002
【特許請求の範囲】
【請求項１】
基地局シミュレータから通信を受信しているＳＦＣ（散乱場チャンバ）内の通信装置受信機回路の特性を決定する方法であって、
前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御する工程と、
前記モード攪拌装置の複数の前記相異なる静止位置のそれぞれにおいて、複数の相異なる送信電力レベルを通じて前記基地局シミュレータからの送信電力レベルを変化させる工程と、
複数の前記送信電力レベルのそれぞれにおいて、前記通信装置が前記基地局シミュレータから前記通信を受信するビット誤り率と受信信号強度とを測定する工程と、
前記測定されたビット誤り率と、前記測定された受信信号強度と、前記関連する送信電力レベルとに応じて前記通信装置受信機回路の絶対全等方感度を決定する工程と
を有することを特徴とする方法。
【請求項２】
前記ビット誤り率の測定は、前記関連する送信電力レベルにおいて前記移動体端末が前記基地局シミュレータから前記通信を受信するフレーム誤り率を測定する工程を含むことを特徴とする請求項１に記載の方法。
【請求項３】
前記ビット誤り率の測定は、前記関連する送信電力レベルにおいて前記移動体端末が前記基地局シミュレータから前記通信を受信するブロック誤り率を測定する工程を含むことを特徴とする請求項１又は２に記載の方法。
【請求項４】
前記全等方感度の決定は、
前記モード攪拌装置の前記複数の相異なる静的位置のそれぞれについて、前記測定された受信信号強度と前記基地局シミュレータからの前記関連する送信電力レベルとを用いてＣＡＬ（合成チャンバ・アンテナ損失）値を決定する工程と、
前記モード攪拌装置の前記複数の相異なる静的位置のそれぞれについて、非ゼロのビット誤り率の測定に対応する前記決定されたＣＡＬ値を用いて平均ＣＡＬ値を決定する工程と、
前記モード攪拌装置の前記複数の相異なる静的位置のそれぞれについて決定された前記平均ＣＡＬ値を用いて前記通信装置受信機回路の等方感度を決定する工程と
を含むことを特徴とする請求項１乃至３の何れか１項に記載の方法。
【請求項５】
前記モード攪拌装置の前記複数の相異なる静的位置のそれぞれについて、前記ＣＡＬ値は、前記基地局シミュレータからの前記測定された受信信号強度と前記関連する測定電力レベルとの差に基づいて決定されることを特徴とする請求項４に記載の方法。
【請求項６】
前記等方感度の決定は、前記モード攪拌装置の前記複数の相異なる静的位置のそれぞれについて、前記測定されたビット誤り率と前記平均ＣＡＬ値とを用いて前記通信装置受信機回路の前記等方感度を決定する工程を含むことを特徴とする請求項４又は５に記載の方法。
【請求項７】
前記等方感度の決定は、前記モード攪拌装置の前記複数の相異なる静的位置のそれぞれについて、前記通信装置受信機回路の前記等方感度が、前記測定されたビット誤り率と前記平均ＣＡＬ値との差に基づいて決定されることを更に含むことを特徴とする請求項６に記載の方法。
【請求項８】
前記等方感度の決定は、前記モード攪拌装置の前記複数の相異なる静的位置について決定された複数の前記等方感度値を通じて直線当てはめを実行する工程を更に含むことを特徴とする請求項６又は７に記載の方法。
【請求項９】
前記基地局シミュレータから通信を受信する前記通信装置受信機回路のアクティブアンテナ効率を決定する工程と、
前記決定された等方感度と前記決定されたアクティブアンテナ効率とに応じて前記通信装置受信機回路の前記絶対全等方感度を決定する工程と
を更に有することを特徴とする請求項４乃至８の何れか１項に記載の方法。
【請求項１０】
前記通信装置受信機回路の前記絶対全等方感度の決定は、前記決定された等方感度と前記決定されたアクティブアンテナ効率とを合計する工程を含むことを特徴とする請求項９に記載の方法。
【請求項１１】
前記通信装置受信機回路の前記アクティブアンテナ効率の決定は、
前記基地局シミュレータからの送信電力レベルをほぼ一定に維持している間に、前記ＳＦＣにおける入射ＲＦ場の偏波を混合するように前記モード攪拌装置を動かしつつ、前記通信装置が前記基地局シミュレータから前記通信を受信する受信信号強度を測定する工程と、
前記受信信号強度の複数の前記測定を時間に関して平均化する工程と、
前記平均化された受信信号強度に基づいて前記アクティブアンテナ効率を決定する工程と
を含むことを特徴とする請求項９又は１０に記載の方法。
【請求項１２】
前記ＳＦＣの伝達関数を決定する工程を更に有し、
前記アクティブアンテナ効率は、前記基地局シミュレータからの前記送信電力レベルと、前記ＳＦＣの前記伝達関数及び前記平均化された受信信号強度の合計との差に基づいて決定される
ことを特徴とする請求項１１に記載の方法。
【請求項１３】
ＳＦＣ（散乱場チャンバ）内の通信装置受信機回路と通信するように構成された基地局シミュレータと、
ＴＩＳ測定コンピュータと
を備えるシステムであって、
前記ＴＩＳ測定コンピュータは、
前記ＳＦＣにおける入射ＲＦ場の偏波が異なるように混合するように構成された複数の相異なる静的位置に前記ＳＦＣ内のモード攪拌装置を順次動かすように前記モード攪拌装置の運動を制御し、
前記モード攪拌装置の複数の前記相異なる静止位置のそれぞれにおいて、複数の相異なる送信電力レベルを通じて前記基地局シミュレータからの送信電力レベルを変化させ、
複数の前記送信電力レベルのそれぞれにおいて、前記通信装置が前記基地局シミュレータから前記通信を受信するビット誤り率と受信信号強度とを測定し、
前記測定されたビット誤り率と、前記測定された受信信号強度と、前記関連する送信電力レベルとに応じて前記通信装置受信機回路の絶対全等方感度を決定する
ように構成されることを特徴とするシステム。
【請求項１４】
前記ＴＩＳ測定コンピュータは、
前記モード攪拌装置の前記複数の相異なる静的位置のそれぞれについて、前記測定された受信信号強度と前記基地局シミュレータからの前記関連する送信電力レベルとの差に基づいてＣＡＬ（合成チャンバ・アンテナ損失）値を決定し、
前記モード攪拌装置の前記複数の相異なる静的位置のそれぞれについて、非ゼロのビット誤り率の測定に対応する前記決定されたＣＡＬ値を用いて平均ＣＡＬ値を決定し、
前記モード攪拌装置の前記複数の相異なる静的位置のそれぞれについて決定された前記平均ＣＡＬ値を用いて前記通信装置受信機回路の等方感度を決定する
ように更に構成されることを特徴とする請求項１３に記載のシステム。
【請求項１５】
前記ＴＩＳ測定コンピュータは、前記モード攪拌装置の前記複数の相異なる静的位置のそれぞれについて、前記測定されたビット誤り率と前記平均ＣＡＬ値との差に基づいて前記通信装置受信機回路の前記等方感度を決定するように更に構成されることを特徴とする請求項１４に記載のシステム。
【請求項１６】
前記ＴＩＳ測定コンピュータは、前記基地局シミュレータから通信を受信する前記通信装置受信機回路のアクティブアンテナ効率を決定し、前記決定された等方感度と前記決定されたアクティブアンテナ効率とに応じて前記通信装置受信機回路の前記絶対全等方感度を決定するように更に構成されることを特徴とする請求項１４又は１５に記載のシステム。
【請求項１７】
前記ＴＩＳ測定コンピュータは、前記決定された等方感度と前記決定されたアクティブアンテナ効率とを合計に基づいて前記通信装置受信機回路の前記絶対全等方感度を決定するように更に構成されることを特徴とする請求項１６に記載のシステム。
【請求項１８】
前記ＴＩＳ測定コンピュータは、
前記基地局シミュレータからの送信電力レベルがほぼ一定に維持されている間に、前記ＳＦＣにおける入射ＲＦ場の偏波を混合するように前記モード攪拌装置を動かしつつ、前記通信装置が前記基地局シミュレータから前記通信を受信する受信信号強度を測定し、
前記受信信号強度の複数の前記測定を時間に関して平均化し、
前記平均化された受信信号強度に基づいて前記アクティブアンテナ効率を決定する
ように更に構成されることを特徴とする請求項１６又は１７に記載のシステム。
【請求項１９】
前記ＴＩＳ測定コンピュータは、前記ＳＦＣの伝達関数を決定し、前記基地局シミュレータからの前記送信電力レベルと、前記ＳＦＣの前記伝達関数及び前記平均化された受信信号強度の合計との差に基づいて前記アクティブアンテナ効率を決定するように更に構成されることを特徴とする請求項１８に記載のシステム。
【請求項２０】
基地局シミュレータから通信を受信しているＳＦＣ（散乱場チャンバ）内の通信装置受信機回路の特性を決定するコンピュータプログラム製品であって、
前記コンピュータプログラム製品はコンピュータで読み取り可能なプログラムコードを具現化するコンピュータで読み取り可能な記憶媒体を有し、
前記コンピュータで読み取り可能なプログラムコードは、前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御するように構成され、
前記コンピュータで読み取り可能なプログラムコードは、前記モード攪拌装置の複数の前記相異なる静止位置のそれぞれにおいて、複数の相異なる送信電力レベルを通じて前記基地局シミュレータからの送信電力レベルを変化させるように構成され、
前記コンピュータで読み取り可能なプログラムコードは、複数の前記送信電力レベルのそれぞれにおいて、前記通信装置が前記基地局シミュレータから前記通信を受信するビット誤り率と受信信号強度とを測定するように構成され、
前記コンピュータで読み取り可能なプログラムコードは、前記測定されたビット誤り率と、前記測定された受信信号強度と、前記関連する送信電力レベルとに応じて前記通信装置受信機回路の絶対全等方感度を決定するように構成される
ことを特徴とするコンピュータプログラム製品。
【発明の詳細な説明】
【技術分野】
【０００１】
本発明は総括的に無線通信分野に関し、より具体的に無線通信装置受信機の特性の測定に関する。
【背景技術】
【０００２】
セルラ移動体端末および他の多くのタイプの無線通信装置が市場で発売される前に厳しいオーバ・ジ・エア（ＯＴＡ）テストを受ける。ＣＴＩＡ（セルラ通信工業会）により推奨されて、ＯＴＡ検査は装置の通信コンポーネント（アンテナ、増幅器、受信機および電子機器）が用いられるだろう環境の近くでこれらの性能を測定するように試みる。
【０００３】
装置がさらされるＲＦ励起は、もはや単なるパルスまたは連続波（ＣＷ）モードのＲＦ源ではなく、その代わりに基地局シミュレータ（ＢＳＳ）により生成されうる。ＢＳＳは、グローバルスタンダード・フォ・モバイルコミュニケーション（ＧＳＭ（登録商標））、汎用パケット無線サービス（ＧＰＲＳ）、ＧＳＭエボリューション向け発展型データレート（ＥＤＧＥ）、統合デジタル発展型ネットワーク（ｉＤＥＮ）、符号分割多元接続（ＣＤＭＡ）、広帯域ＣＤＭＡ、ＣＤＭＡ２０００、および／またはユニバーサル移動体通信システム（ＵＭＴＳ）、ＩＥＥＥ８０２．１１ａ−ｇ標準、Ｂｌｕｅｔｏｏｔｈ（登録商標）、および／または他の標準／非標準通信プロトコルのようなプロトコルを用いて通信するように構成されうる。
【０００４】
通信装置のＯＴＡ検査のために用いられうる２つのタイプのチャンバは電波暗室（anechoic chamber）および散乱場チャンバ（ＳＦＣ：Scattered Field Chamber）である。（モード攪拌チャンバ、電波反射チャンバＲＣ（reverberation chamber）およびスウェーデン語でmodvaxlarkammareとも呼ばれる）散乱場チャンバは一部の例において電波暗室と比較して高速で、安価で、および／または高信頼の測定設定を提供する。
【発明の概要】
【発明が解決しようとする課題】
【０００５】
アンテナ効率の測定に重点を置く先行する装置検査技術とは対照的に、ＯＴＡ検査はしばしば通信装置の全放射電力（ＴＲＰ：total radiated power）および全等方感度（ＴＩＳ：total isotropic sensitivity）の複雑なアクティブ測定に重点を置く。ＴＩＳを測定するための少なくとも一部の既存の技術は実行するのが特に複雑／困難でありうる。なぜなら、これらの技術は約−１１０ｄＢｍに至るまでの電力レベルと、ＵＭＴＳ通信については０．１％単位の精度に至るまで、ＧＳＭ通信については０．５−１％単位の精度に至るまでのブロック誤り率（ＢＬＥＲ）とでの正確な検査および測定を必要としうるからである。
【課題を解決するための手段】
【０００６】
本発明の一部の実施形態によれば、ＳＦＣ（散乱場チャンバ）内にあり、基地局シミュレータから通信を受信している通信装置受信機回路の絶対全等方感度を決定する方法が提供される。前記ＳＦＣにおける入射ＲＦ場の偏波を異なるように混合するように構成された複数の相異なる静的位置に前記ＳＦＣ内のモード攪拌装置を順次動かすように前記モード攪拌装置の運動が制御される。前記モード攪拌装置の複数の前記相異なる静止位置のそれぞれにおいて、複数の相異なる送信電力レベルを通じて前記基地局シミュレータからの送信電力レベルが変化される。複数の前記送信電力レベルのそれぞれにおいて、前記通信装置が前記基地局シミュレータから前記通信を受信するビット誤り率と受信信号強度とが測定される。前記測定されたビット誤り率と、前記測定された受信信号強度と、前記関連する送信電力レベルとに応じて前記通信装置受信機回路の絶対全等方感度が決定される。
【０００７】
一部の更なる実施形態では、前記ビット誤り率の測定は、前記関連する送信電力レベルにおいて前記移動体端末が前記基地局シミュレータから前記通信を受信するフレーム誤り率を測定する工程を含む。
【０００８】
一部の更なる実施形態では、前記ビット誤り率の測定は、前記関連する送信電力レベルにおいて前記移動体端末が前記基地局シミュレータから前記通信を受信するブロック誤り率を測定する工程を含む。
【０００９】
一部の更なる実施形態では、前記全等方感度の決定は、前記モード攪拌装置の前記複数の相異なる静的位置のそれぞれについて、前記測定された受信信号強度と前記基地局シミュレータからの前記関連する送信電力レベルとを用いてＣＡＬ（合成チャンバ・アンテナ損失）値が決定されることと、前記モード攪拌装置の前記複数の相異なる静的位置のそれぞれについて、非ゼロのビット誤り率の測定に対応する前記決定されたＣＡＬ値を用いて平均ＣＡＬ値が決定されることと、前記モード攪拌装置の前記複数の相異なる静的位置のそれぞれについて決定された前記平均ＣＡＬ値を用いて前記通信装置受信機回路の等方感度が決定されることとを含む。
【００１０】
一部の更なる実施形態では、前記モード攪拌装置の前記複数の相異なる静的位置のそれぞれについて、前記ＣＡＬ値は、前記基地局シミュレータからの前記測定された受信信号強度と前記関連する測定電力レベルとの差に基づいて決定される。
【００１１】
一部の更なる実施形態では、前記等方感度の決定は、前記モード攪拌装置の前記複数の相異なる静的位置のそれぞれについて、前記測定されたビット誤り率と前記平均ＣＡＬ値とを用いて前記通信装置受信機回路の前記等方感度を決定する工程を含む。
【００１２】
一部の更なる実施形態では、前記等方感度の決定は、前記モード攪拌装置の前記複数の相異なる静的位置のそれぞれについて、前記通信装置受信機回路の前記等方感度を、前記測定されたビット誤り率と前記平均ＣＡＬ値との差に基づいて決定する工程を更に含む。
【００１３】
一部の更なる実施形態では、前記等方感度の決定は、前記モード攪拌装置の前記複数の相異なる静的位置について決定された複数の前記等方感度値を通じて直線当てはめを実行する工程を更に含む。
【００１４】
一部の更なる実施形態では、前記方法は、前記基地局シミュレータから通信を受信する前記通信装置受信機回路のアクティブアンテナ効率を決定する工程と、前記決定された等方感度と前記決定されたアクティブアンテナ効率とに応じて前記通信装置受信機回路の前記絶対全等方感度を決定する工程とを更に有する。
【００１５】
一部の更なる実施形態では、前記通信装置受信機回路の前記絶対全等方感度の決定は、前記決定された等方感度と前記決定されたアクティブアンテナ効率とを合計する工程を含む。
【００１６】
一部の更なる実施形態では、前記通信装置受信機回路の前記アクティブアンテナ効率の決定は、前記基地局シミュレータからの送信電力レベルをほぼ一定に維持している間に、前記ＳＦＣにおける入射ＲＦ場の偏波を混合するように前記モード攪拌装置を動かしつつ、前記通信装置が前記基地局シミュレータから前記通信を受信する受信信号強度を測定する工程と、前記受信信号強度の複数の前記測定を時間に関して平均化する工程と、前記平均化された受信信号強度に基づいて前記アクティブアンテナ効率を決定する工程とを含む。
【００１７】
一部の更なる実施形態では、前記方法は、前記ＳＦＣの伝達関数を決定する工程を更に有する。次いで、前記アクティブアンテナ効率は、前記基地局シミュレータからの前記送信電力レベルと、前記ＳＦＣの前記伝達関数及び前記平均化された受信信号強度の合計との差に基づいて決定される。
【００１８】
一部の他の実施形態は、基地局シミュレータとＴＩＳ測定コンピュータとを含むシステムを対象とする。前記基地局シミュレータは、ＳＦＣ（散乱場チャンバ）内の通信装置受信機回路と通信するように構成される。前記ＴＩＳ測定コンピュータは、前記ＳＦＣにおける入射ＲＦ場の偏波が異なるように混合するように構成された複数の相異なる静的位置に前記ＳＦＣ内のモード攪拌装置を順次動かすように前記モード攪拌装置の運動を制御し、前記モード攪拌装置の複数の前記相異なる静止位置のそれぞれにおいて、複数の相異なる送信電力レベルを通じて前記基地局シミュレータからの送信電力レベルを変化させ、複数の前記送信電力レベルのそれぞれにおいて、前記通信装置が前記基地局シミュレータから前記通信を受信するビット誤り率と受信信号強度とを測定し、前記測定されたビット誤り率と、前記測定された受信信号強度と、前記関連する送信電力レベルとに応じて前記通信装置受信機回路の絶対全等方感度を決定するように構成される。
【００１９】
一部の更なる実施形態では、前記ＴＩＳ測定コンピュータは、前記モード攪拌装置の前記複数の相異なる静的位置のそれぞれについて、前記測定された受信信号強度と前記基地局シミュレータからの前記関連する送信電力レベルとの差に基づいてＣＡＬ（合成チャンバ・アンテナ損失）値を決定し、前記モード攪拌装置の前記複数の相異なる静的位置のそれぞれについて、非ゼロのビット誤り率の測定に対応する前記決定されたＣＡＬ値を用いて平均ＣＡＬ値を決定し、前記モード攪拌装置の前記複数の相異なる静的位置のそれぞれについて決定された前記平均ＣＡＬ値を用いて前記通信装置受信機回路の等方感度を決定するように更に構成される。
【００２０】
一部の更なる実施形態では、前記ＴＩＳ測定コンピュータは、前記モード攪拌装置の前記複数の相異なる静的位置のそれぞれについて、前記測定されたビット誤り率と前記平均ＣＡＬ値との差に基づいて前記通信装置受信機回路の前記等方感度を決定するように更に構成される。
【００２１】
一部の更なる実施形態では、前記ＴＩＳ測定コンピュータは、前記基地局シミュレータから通信を受信する前記通信装置受信機回路のアクティブアンテナ効率を決定し、前記決定された等方感度と前記決定されたアクティブアンテナ効率とに応じて前記通信装置受信機回路の前記絶対全等方感度を決定するように更に構成される。
【００２２】
一部の更なる実施形態では、前記ＴＩＳ測定コンピュータは、前記決定された等方感度と前記決定されたアクティブアンテナ効率とを合計に基づいて前記通信装置受信機回路の前記絶対全等方感度を決定するように更に構成される。
【００２３】
一部の更なる実施形態では、前記ＴＩＳ測定コンピュータは、前記基地局シミュレータからの送信電力レベルがほぼ一定に維持されている間に、前記ＳＦＣにおける入射ＲＦ場の偏波を混合するように前記モード攪拌装置を動かしつつ、前記通信装置が前記基地局シミュレータから前記通信を受信する受信信号強度を測定し、前記受信信号強度の複数の前記測定を時間に関して平均化し、前記平均化された受信信号強度に基づいて前記アクティブアンテナ効率を決定するように更に構成される。
【００２４】
一部の更なる実施形態では、前記ＴＩＳ測定コンピュータは、前記ＳＦＣの伝達関数を決定し、前記基地局シミュレータからの前記送信電力レベルと、前記ＳＦＣの前記伝達関数及び前記平均化された受信信号強度の合計との差に基づいて前記アクティブアンテナ効率を決定するように更に構成される。
【００２５】
一部の他の実施形態は、基地局シミュレータから通信を受信しているＳＦＣ（散乱場チャンバ）内の通信装置受信機回路の特性を決定するコンピュータプログラム製品を対象とする。前記コンピュータプログラム製品はコンピュータで読み取り可能なプログラムコードを具現化するコンピュータで読み取り可能な記憶媒体を有する。前記コンピュータで読み取り可能なプログラムコードは、前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御するように構成され、前記コンピュータで読み取り可能なプログラムコードは、前記モード攪拌装置の複数の前記相異なる静止位置のそれぞれにおいて、複数の相異なる送信電力レベルを通じて前記基地局シミュレータからの送信電力レベルを変化させるように構成され、前記コンピュータで読み取り可能なプログラムコードは、複数の前記送信電力レベルのそれぞれにおいて、前記通信装置が前記基地局シミュレータから前記通信を受信するビット誤り率と受信信号強度とを測定するように構成され、前記コンピュータで読み取り可能なプログラムコードは、前記測定されたビット誤り率と、前記測定された受信信号強度と、前記関連する送信電力レベルとに応じて前記通信装置受信機回路の絶対全等方感度を決定するように構成される。
【００２６】
例示の実施形態に従う他の装置、システム、方法および／またはコンピュータプログラム製品が以下の図面および詳細な説明の検討によって当業者に明らかであるか、明らかになるだろう。このようなすべての追加のシステム、方法および／またはコンピュータプログラム製品は、本明細書に含まれ、本発明の範囲に含まれ、添付の特許請求の範囲によって保護されることが意図される。
【００２７】
本発明の更なる理解を提供するために含まれ、本出願に組み込まれてその一部を構成する添付の図面は本発明の所定の実施形態を説明する。
【図面の簡単な説明】
【００２８】
【図１】本発明の一部の実施形態に従う移動体端末のような通信装置の全等方感度を測定するシステムのブロック図である。
【図２】図１の散乱場チャンバ内の複数の相異なる測定位置のそれぞれについての移動体端末の感度曲線のグラフである。
【図３】図２の感度曲線が互いに重なったグラフである。
【図４】一部の実施形態に従う図１の散乱場チャンバ内の１回の停止についての基地局シミュレータの出力電力と移動体端末の測定されたＢＥＲおよびＲＳレベルの例示の表を説明する。
【図５】一部の実施形態に従う計算された感度および２．４９ＢＥＲ点とともに、例示の等方感度曲線と測定データを通じた直線当てはめとのグラフである。
【図６】１つ以上のフィールド攪拌器を介して一定且つ低速な攪拌にさらされる移動体端末についての例示の平均ＲＳＳＩ測定のグラフであり、Ｎは平均化に用いられるＲＳＳＩ値の個数を表す。
【図７】図６の平均ＲＳＳＩ測定の例示の標準偏差のグラフである。
【図８】移動体端末の各チャネルを測定する際に観察されうる例示の時間の表を説明する。
【図９】電源がオンの際に移動体端末の受信機チェーンに望ましくない影響を与えるカメラを有する移動体端末に関して実行された測定を示す表である。
【図１０】カメラが電源オン・オフされて電波暗室でとられたものと、カメラが電源オン・オフされてＳＦＣでとられたものとの例示の移動体端末の様々なチャネルについてのＴＩＳ測定のグラフである。
【図１１Ａ】、
【図１１Ｂ】本発明の一部の実施形態に従って図１のＴＩＳ測定コンピュータおよび基地局シミュレータにより実行されてもよい例示の動作および方法を示すフローチャートを説明する。
【発明を実施するための形態】
【００２９】
本発明の実施形態を示す添付の図面を参照しつつ以下に本発明が十分に記載される。しかしながら、本発明は多くの代替形態で具現化されてもよく、本明細書で説明される実施形態に限定されるとみなされるべきではない。
【００３０】
従って、本発明は様々な変更および代替形態を受け入れつつ、その特定の実施形態が図面に例示の方法で示され、本明細書で詳細に記載される。しかしながら、開示される特定の形態に本発明が限定される意図はなく、それどころか本発明は特許請求の範囲で規定される本発明の精神および範囲に含まれるすべての変形、均等物および代替をカバーすることが理解されるべきである。図面の説明を通じて同様の要素は同様の符号で参照される。
【００３１】
本明細書で用いる用語は特定の実施形態を記載することだけを目的とし、本発明を限定する意図はない。本明細書で用いる際に、単数形「ａ」、「ａｎ」および「ｔｈｅ」は、そうでないことが文脈で明示的に示されない限り、複数形も同様に含むことが意図される。「備える」、「備えている」、「含む」および／または「含んでいる」という用語は、本明細書で用いる場合に、記載された特徴、整数、ステップ、動作、要素および／またはコンポーネントの存在を特定するが、１つ以上の他の特徴、整数、ステップ、動作、要素、コンポーネントおよび／またはこれらのグループの存在または追加を排斥するものでないことが更に理解されるだろう。さらに、ある要素が別の要素に「応答して」または「接続された」と言及される場合に、当該別の要素に直接に応答し、または直接に接続されてもよいし、介在する要素が存在してもよい。対照的に、ある要素が別の要素に「直接に応答して」または「直接に接続された」と言及される場合に、介在する要素は存在しない。本明細書で用いる際に、「および／または」という用語は、関連する列挙された項目の１つ以上の任意且つすべての組合せを含み、「／」と省略されてもよい。
【００３２】
第１、第２などという用語が本明細書で様々な要素を記載するために用いられうるが、これらの要素はこれらの用語によって限定されるべきでないことが理解されるだろう。これらの用語は単に、ある要素と別の要素とを区別するために用いられる。例えば、本開示の教示を逸脱することなく、第１要素は第２要素と名づけられてもよく、同様に第２要素は第１要素と名づけられてもよい。図面の一部は通信の主要な方向を示す通信経路上の矢印を含むが、図示された矢印とは反対方向に通信が生じてもよいことが理解される。
【００３３】
一部の実施形態は、ブロック図および動作フローチャートに関して記載され、これらにおける各ブロックは回路素子、モジュール、または特定された論理機能（群）を実施する１つ以上の実行可能な命令を含むコードの部分を表す。他の実施において、ブロック内に示される機能（群）は、示された順序から外れて起こってもよいことも留意されるべきである。例えば、連続して示される２つのブロックは、関与する機能に依存して、実際にはほぼ同時に実行されてもよいし、ブロックは時として逆の順序で実行されてもよい。
【００３４】
本明細書で用いる場合に、「無線移動体端末」または省略して「端末」は、無線周波数通信信号を受信するように構成された任意の電子装置を含むがこれに限定されない。例示の端末はセルラ電話、ＰＤＡ、および他の通信装置と通信するように構成された移動体コンピュータを含むがこれらに限定されない。
【００３５】
図１は本発明の一部の実施形態に従う移動体端末１１０のＴＩＳを測定する例示のシステム１００を説明する。図１を参照して、移動体端末１１０は、導体壁を有しうる散乱場チャンバ（ＳＦＣ）１２０内に配置される。基地局シミュレータ１２２は、ＳＦＣ１２０内にあり且つ移動体端末１００の近くに位置するアンテナ１２２を通じて移動体端末１００と通信するように構成される。
【００３６】
基地局シミュレータ１５０は、グローバルスタンダード・フォ・モバイルコミュニケーション（ＧＳＭ）、汎用パケット無線サービス（ＧＰＲＳ）、ＧＳＭエボリューション向け発展型データレート（ＥＤＧＥ）、統合デジタル発展ネットワーク（ｉＤＥＮ）、符号分割多元接続（ＣＤＭＡ）、広帯域ＣＤＭＡ、ＣＤＭＡ２０００、および／またはユニバーサル移動体通信システム（ＵＭＴＳ）、ＩＥＥＥ８０２．１１ａ−ｇ標準、Ｂｌｕｅｔｏｏｔｈ、および／または他の標準／非標準通信プロトコルを含んでもよいがこれらには限定されない１つ以上のプロトコルに従ってアンテナ１５２を通じてＲＦ通信シグナリングを生成するように構成されうる。基地局シミュレータ１５０は、高速フェージング環境を検査するように動作できるアジレント８９６０タイプの基地局シミュレータを含んでもよいが、これに限定されない。基地局シミュレータ１５０により実行されるプロトコルステップの選択および／またはタイミングはＴＩＳ測定コンピュータ１４０により制御されてもよい。
【００３７】
移動体端末１１０はＳＦＣ１２０内のアクチュエータ１２４に取り付けられてもよく、アクチュエータ１２４はアンテナ１２２に対して移動体端末１１０を回転および／または再配置するように構成されうる。ＴＩＳ測定コンピュータ１４０はアンテナ１２２に対する移動体端末１００の角度および／または位置を制御するようにアクチュエータ１２４を調整（例えば、回転アセンブリの回転を制御し、および／または可動アームの位置を制御）するように構成される。
【００３８】
ＳＦＣ１２０内に１つ以上のモード攪拌装置１２６、１２８が含まれてもよい。モード攪拌器１２６、１２８は、含まれる場合に、例えば入射ＲＦ場の偏波を混合するように構成されてもよい。モード攪拌器１２６、１２８は、空間的および時間的に一様であるがランダムに移動体端末１１０の付近のＲＦ場を変えるように例えば回転することによって運動してもよい。例えば、モード攪拌器１２６、１２８は、ＳＦＣ１２０内の多くの位置におけるＲＦ場が、時間とともに（例えばモード攪拌器１２６、１２８の１回転の間に）ほぼ同じ最大ＲＦ場強度および平均ＲＦ場強度を有するようにしてもよい。これにかえて、またはこれに加えて、モード攪拌器１２６，１２８は、マルチパス干渉および／または高速フェージング（例えば都市型の）環境の他の影響をシミュレーションするために、ＲＦ場強度の高速フェージングを生じさせるように移動体端末１１０の近くのＲＦ場を吸収するように構成されてもよい。モード攪拌器１２６、１２８は例えば吸収材および／または誘電体で被覆されてもよく、回転式ファン、振り子などのように回転／運動するように構成されてもよい。モード攪拌器１２６、１２８の運動はＴＩＳ測定コンピュータ１４０によって制御されてもよい。例えば、ＴＩＳ測定コンピュータ１４０は後述される様々な検査作業の間にモード攪拌器１２６、１２８の運動を開始および停止してもよい。
【００３９】
移動端末１１０に隣接し、ＴＩＳ測定コンピュータ１４０および／または基地局制御装置１５０に接続された較正プローブ１３０がＳＦＣ１２０内に含まれてもよく、それによって較正プローブ１３０は基地局シミュレータ１５０による出力電力レベルおよび電力測定を較正し、基地局シミュレータ１５０とアンテナ１２２との間の経路損失を測定し、および／またはＳＦＣアンテナ１２２と移動体端末１１０のアンテナとの間の空間損失を測定するために用いられる。
【００４０】
一部の実施形態に従うと、ＴＩＳ測定コンピュータ１００は感度曲線を生成し、アクティブアンテナ効率を決定するように構成される。感度曲線を決定するために、等方感度および合成チャンバ・アンテナ損失（ＣＡＬ：combined Chamber and Antenna Loss）がともに、共通の測定動作の間に決定されうる。この動作により見つかる等方感度は、アンテナから信号経路を通って移動体端末１１０のＲＦ受信機に至るまでを含む移動体端末１１０における損失を表す損失係数だけが足された伝導感度（conducted sensitivity）に対応しうる。それ故、これらの測定はアクティブアンテナ効率を表す。
【００４１】
アクティブアンテナ効率を決定した後に、移動体端末１１０のエア・アンテナ・インタフェースでの等方感度レベルを決定するために、これは合成チャンバ・アンテナ損失から減算されうる。
【００４２】
等方感度およびＣＡＬがＴＩＳ測定コンピュータ１００によってどのように決定され、移動体端末１１０についてのＴＩＳを決定するためにどのように用いられうるかについて以下に様々な異なる実施形態が記載される。後述されるように、ＴＩＳおよび／またはフェージングＴＩＳを決定するために曲線当てはめアルゴリズムが用いられうる。これは、測定精度を向上し、および／または移動体端末または未知の特性を有する他の通信装置の測定の冗長性を向上しうる。
【００４３】
一部の実施形態では、ＴＩＳを決定するために移動体端末１１０の受信機信号レベルが測定され用いられてもよい。受信信号レベルはＧＳＭプロトコル通信について受信信号強度表示（ＲＳＳＩ）として測定されてもよく、ＵＭＴＳプロトコルについて受信信号符号電力（ＲＳＣＰ）として測定されてもよく、これらは以下で集合的に「受信信号（ＲＳ：Received Signal）」と呼ばれる。
【００４４】
ＣＡＬを見つけるために、ＴＩＳ測定コンピュータ１４０は攪拌器１２６、１２８を固定（すなわち、運動を停止）することによってチャンバ内に静的環境を作成し、感度曲線を生成するために測定を実行する。感度曲線は、基地局シミュレータの電力レベル（ＰＢＳ）を減らし、フレーム誤り率（ＦＥＲ）および／またはブロック誤り率（ＢＬＥＲ）のようなビット誤り率（ＢＥＲ）およびＲＳを記録する（register）ことによって生成される。これらの測定を通じて、ＳＦＣ内の静的環境がＴＩＳ測定のための所望の等方環境に似ているか否かについて判定がなされうる。
【００４５】
図２は、図１のＳＦＣ１２０内の複数の相異なる測定位置のそれぞれにおいて測定されたＧＳＭ９００バンドで動作する移動体端末１１０の感度曲線２００のグラフである。感度曲線２０２は９４２．４ＭＨｚで動作する移動体端末１１０の伝導感度に対応する。図３は図２の感度曲線２００、２０２が互いに重なったグラフである。
【００４６】
図２、図３を参照して、曲線２０２は静的なＳＦＣ１２０においてランダムに測定された複数の曲線と比較されうる。ＳＦＣ１２０に静的な環境を提供するために攪拌器１２６、１２８は運動していないが、曲線の各点が特定の低い標準偏差へ収束することを保証するために十分に多数のビットで曲線２００、２０２内の各点を測定することが重要であり続ける。測定された点を通じて曲線当てはめアルゴリズムを用いることによって、測定点の個数は比較的少なくあり続けてもよく、それによって測定時間が省かれる。
【００４７】
測定を通じて、移動体端末１１０の受信機回路は、感度曲線全体を測定し、この曲線から受信機感度を見つけることによって、幅広い動作環境に亘ってロバストに特徴付けられうる。ＴＩＳ測定コンピュータ１４０により用いられうる別のアプローチは動作検査環境内の測定点間を最適にホップすることであり、これは十分に正確な値に到達するために各測定位置における多くの良好な測定値を平均化することを含みうる。
【００４８】
図２、図３に見られるように、導電曲線２０２とＳＦＣ１２０内の静的曲線２００とは同じ変動を有する。しかしながら、１つの大きな違いが存在し、この違いは静的曲線２００がＳＦＣ１２０において測定され、アンテナ、ストリップ線およびＬＮＡチェーンを含む移動体端末１１０の受信機信号経路全体が測定に含まれることである。これは、移動体端末１１０のすべての受信機特性が含まれ、それによって感度低下のような影響がこれらの測定を通じて容易に特徴付けられうることを意味する。
【００４９】
ＴＩＳと曲線２００、２０２内の測定された感度との差を定量化するためにＴＩＳ測定コンピュータ１４０により実行されうる動作が以下に説明される。
【００５０】
［合成アンテナ・チャンバ損失（ＣＡＬ）］
ＣＡＬは基地局電力ＰＢＳと受信機信号レベルＲＳとの差であり、以下の式で表されうる。
CAL(stop)=PBS(stop)-RS(stop)
【００５１】
ＣＡＬ（ｓｔｏｐ）はＳＦＣ１２０における各停止（攪拌停止位置）について計算される。次いで、これらの値から、（これは、ＲＳＳＩ  ０が−１１０ｄＢｍに等しく、例示の受信機は低い値で飽和するため最小値であってもよいことに留意して）非ゼロのＲＳＳＩ値およびＢＥＲ値を表す曲線点を抽出することによって、各位置について平均ＣＡＬが計算される。
【００５２】
図４は攪拌器１２６、１２８の１つの停止位置について基地局シミュレータ１５０の出力電力と移動体端末１１０の測定されたＢＥＲおよびＲＳレベルとの例示の表を説明する。これらの測定値を用いて、ＣＡＬベクトルは、ＣＡＬ＝５，５，５，４，５，５，４として決定されえ、平均ＣＡＬは４．７ｄＢであると決定される。ＴＩＳ測定コンピュータ１４０は測定精度を向上するために、様々な攪拌停止（静的）位置についてこれらの動作を繰り返し実行しうる。
【００５３】
関数ＰＢＳ（ＲＳ）が完全線形変動を有する高いレベルにおいてＣＡＬを測定するために追加の動作が実行されうる。測定値は同数のサンプルについて平均化されるべきである。ＢＥＲ＝０値は遥かに少ない個数のサンプルで測定されうる。サンプル数は測定動作時間に影響する。
【００５４】
［等方感度（ＩＳ）］
等方感度曲線はＴＩＳ測定コンピュータ１４０によって、上述の測定された感度曲線と平均ＣＡＬとの差として決定され、以下の式で表されうる。
2012517726.tif 000003
【００５５】
ＩＳ曲線が計算されると、直線当てはめによってＩＳ値が見つかる。例えば、図５は等方感度曲線５００のグラフであり、計算された感度とともに測定データを通じた直線当てはめ５０２と、これに沿った２．４９ＢＥＲ点５０４とを更に説明する。
【００５６】
［アクティブアンテナ効率］
別の動作ステップで、基地局シミュレータ１５０からの電力ＰＢＳは固定され（静的であり）、アクティブアンテナ効率がＴＩＳ測定コンピュータ１４０により決定される。この決定は非常に低速な信号フェージングの下で、受信機信号レベルを記録し、それを平均化することによって実行されてもよい。これらの値は処理が収束するまで平均化され、最終平均値とチャンバ伝達関数
2012517726.tif 000004
とがＰＢＳから減算される。これらの計算は以下の式で表されうる。
2012517726.tif 000005
【００５７】
2012517726.tif 000006
という用語は基地局シミュレータ１５０から移動体端末１１０のアンテナへの損失として定義され、ＳＦＣ１２０の損失に対応しうる。この計算の精度は、基地局シミュレータ１５０の様々な出力電力ＰＢＳ値について測定および関連する計算を繰り返すことによって向上しうる。
【００５８】
図６はフィールド攪拌器１２６、１２８の規定された運動を介して一定且つ低速な攪拌にさらされる移動体端末についての例示の平均ＲＳＳＩ測定のグラフであり、Ｎという用語は平均化に用いられるＲＳＳＩ値の個数を表す。図７は図６の平均ＲＳＳＩ測定の標準偏差のグラフである。
【００５９】
［絶対全等方感度］
絶対全等方感度（ＡＴＩＳ：absolute Total Isotropic Sensitivity）は以下の式に基づいてＴＩＳ測定コンピュータ１４０により決定されうる。
2012517726.tif 000007
ここで、この式の成分値は上述のように決定されうる。
【００６０】
［測定時間］
一部の実施形態では、記載された測定に必要な総時間は検査される通信装置の特定のタイプと、測定を通じて取得される所望の精度とに強く依存しうる。以下の表は比較的良好な測定反復可能性についての平均ＡＴＩＳ時間を示す。この精度は、数多くの要因によって向上されえ、例えば感度曲線の本数を増やすことや、曲線の測定データにおいて高い分解能を用いることや、ＲＳサンプルの個数を増やすことによって向上されうる。
【００６１】
図８は移動体端末１１０のような移動体端末の各チャネルを測定する際に観察されるおおよその時間の表を説明する。分／チャネルにおける測定時間がＧＳＭ８５０／９００、ＧＳＭ１８００／１９００およびＵＭＴＳ１について示される。
【００６２】
［感度低下の影響の測定］
様々な実施形態に関連する動作は非常に高速および／または正確な感度低下測定を可能にしうる。感度低下測定は、通信装置の様々なコンポーネントが有する通信装置の受信機チェーンへの影響を見つけるために非常に有用で有りうる。図９は、電源がオンにされ、移動体端末の受信機チェーンに望ましくない影響を生じさせるカメラを有する移動体端末に関してＳＦＣにおいて実行された測定を示す表を説明する。１〜２ｄＢのオーダの精度でＴＩＳを測定するために、移動体端末は電波暗室（ＳＥＬＤ）でも測定されている。
【００６３】
図９を参照して、カメラの電源がオフ且つ電波暗室で行われた測定（「ＳＥＬＤクイックＴＩＳ−カメラ・オフ」）、カメラの電源がオン且つ電波暗室で行われた測定（「ＳＥＬクイックＴＩＳ−カメラ・オン）、カメラの電源がオフ且つＳＦＣで行われた測定（「ＡＴＩＳ−カメラ・オフ」）、およびカメラの電源がオン且つＳＦＣで行われた測定（「ＡＴＩＳ−カメラ・オン」）である移動体端末の様々なチャネルに関する測定についてデータが提供される。これらの測定を参照して、絶対的な感度低下の影響がＡＴＩＳで迅速に測定され、アルゴリズムのダイナミックレンジがこれらの迅速な測定を可能にすることが見られる。このデータはまた、図１０のグラフで視覚的に説明される。
【００６４】
［測定精度］
一般に、ＳＦＣにおける測定精度および測定の反復可能性は通信装置に関して行われるサンプル測定の回数に依存し、従って総測定時間を増やし、関連する測定の回数を増やすことによって、より正確な結果が取得されうる。全放射電力ＴＲＰについて、１０００個〜２０００個のサンプルによりＡＴＩＳの測定におけるハイレベルな反復可能性が提供されうることが観察されている。
【００６５】
この発見はまた、より密な測定グリッドがより正確な結果につながる電波暗室測定について成り立ちうる。ＣＴＩＡにより採用される電波暗室測定設定はＫ＝２について±２ｄＢの測定不確実性を有し、この誤差への大きな寄与は±５ｄＢのクイット・ゾーン・リップル（quit zone ripple）である。
【００６６】
［更なる例示のＡＴＩＳ測定動作］
本発明の一部の実施形態に従ってＡＴＩＳを測定するために図１のＴＩＳ測定コンピュータ１４０および基地局シミュレータ１５０により実行されうる様々な動作および方法が以下に記載される。これらの動作の一部はまた、以下で参照される図１１Ａ、図１１Ｂのフローチャートで説明される。
【００６７】
これらの例示の動作の説明のためだけに、以下の入力パラメータが以下の意味を有するように定義される。
2012517726.tif 000008
【００６８】
図１１Ａ、図１１Ｂを参照して、ブロック１１００で、攪拌器１２６、１２８が回転している間に、基地局シミュレータ１５０は移動体端末１１０との通信接続を確立するためにそこへシグナリングを送信する。
【００６９】
ブロック１１０２で、所望の数Ｎ＿ｃｕｒｖｅｓに対応する規定の攪拌位置の規定の回数で攪拌器１２６、１２８が順次停止しつつ、ＢＥＲ、ＰS（基地局シミュレータ１５０の送信電力レベル）およびＲＳがこれらの攪拌位置において移動体端末１１０について測定される。各位置について、Ｎ＿ＰS（すなわち局電力レベルの個数）において曲線を形成するためにＮ＿ｓａｍｐｌｅｓにおける各電力レベルについて測定が用いられる。次いで、ＴＩＳ測定コンピュータ１４０は各ＰSについて、Ｎ＿ｓａｍｐｌｅｓ個の平均ＢＥＲ、ＰS、およびＲＳを決定する（ブロック１１０４）。
【００７０】
次いで、ＴＩＳ測定コンピュータ１４０はブロック１１０６で以下の式に基づいて各攪拌位置ｓについて合成チャンバ・アンテナ損失ＣＡＬ（ｓ）を計算する。
2012517726.tif 000009
【００７１】
ＲＳ（ｓ）という用語は誤りなしＲＳ値の平均であり、ブロック１１０８で以下に従って決定されうる。
RS_db{s}=-110+RS{s};
RS_db2{s}=RS_db{s}(find(BER{s}≒0)).
ここで、「≒」はほぼ等しいことを意味する。
【００７２】
ＣＡＬ（ｓ）はｍｅａｎ＿ＫＬ｛ｓ｝として示されえ、ブロック１１１０で以下に従って決定されうる。
KL{s}=P_S{s}-RS_db{s};
KL2{s}=KL{s}(find(RS{s}≒0));
mean_KL(s)=mean(KL3{s}).
【００７３】
次いで、ＴＩＳ測定コンピュータ１４０はブロック１１１２で以下に従ってアンテナポートにおける感度関数を計算できる。
P_BS2{s}=P_BS{s}(find(BER{s}≒0));
Sens{s}=P_BS2{s}-mean_KL(s).
【００７４】
次いで、ＴＩＳ測定コンピュータ１４０はブロック１１１４で以下に従って所定のＢＥＲ＿ｌｅｖｅｌ値における感度を計算できる。
p=polyfit(BER_dB{s},Sens{s},degree);
Sens_new(s)=polyval(p,10*log10(BER_level)).
【００７５】
次いで、ＴＩＳ測定コンピュータ１４０はブロック１１１６で以下に従ってこのデータを用いて感度曲線をプロットし、表示／印刷／通信できる。
BER_v_fitted_db(:,s)=linspace(BER_dB{s}(1),BER_dB{s}(end),100);
S_value_fitted(:,s)=polyval(p,BER_v_fitted_db(:,s)).
【００７６】
次いで、ＴＩＳ測定コンピュータ１４０はブロック１１１８で基地局シミュレータ１５０の電力を最初のＰ＿Ｓ＿ｒｏｔ値に設定し、攪拌器１２６、１２８の電圧をＶ＿ｓｔｉｒに設定できる。
【００７７】
Ｐ＿Ｓ＿ｒｏｔ  ｒｅｇｉｓｔｅｒ  Ｎ＿ｒｓ  ＲＳ値のそれぞれの値について、ＴＩＳ測定コンピュータ１４０はブロック１１２０で以下の式に基づいてアクティブアンテナ効率を計算できる。
2012517726.tif 000010
【００７８】
ここで、ＣＴＦは較正ファイルから得られるＳＦＣ１２０の伝達関数である。アクティブアンテナ効率および／またはその平均は連続してユーザへ表示されてもよい。
【００７９】
ＴＩＳ測定コンピュータ１４０はブロック１１２２で以下の式に基づいて最終的なＡＴＩＳ値を計算できる。
2012517726.tif 000011
【００８０】
ＴＩＳ測定コンピュータ１４０はブロック１１２４でＳ曲線、線形表現、および同じグラフの各曲線についてのＡＴＩＳ値を表示してもよい。
【００８１】
説明および検討を容易にするために様々な個別に規定された要素を用いて例示の測定システム１００が図１で説明されたが、本発明はそれに限定されないことが理解されるだろう。その代わりに、本明細書で別々の機能要素において記載された様々な機能は単一の機能要素に合成されてもよく、その逆に本明細書で単一の機能要素において記載された機能が複数の別々の機能要素により実行されてもよい。
【００８２】
さらに、例示の実施形態は移動体端末についてＡＴＩＳを測定する文脈で記載されてきたが、任意のタイプの通信装置の受信機を測定するために本装置、本動作および本方法が用いられてもよいことが理解されるだろう。
【００８３】
当業者に理解されるように、本発明は装置（測定コンピュータ、シミュレータ、移動体端末）、方法およびコンピュータプログラム製品として具現化されてもよい。従って、本発明は完全にハードウェアの実施形態の形式をとってもよいし、ソフトウェアの実施形態の形式をとってもよいし、ハードウェアの側面とソフトウェアの側面との組合せの実施形態をとってもよく、これらはすべて本明細書では総括的に「回路」または「モジュール」として参照される。本明細書で説明されるフローチャートの説明および／またはブロック図の各ブロックならびにフローチャートの説明および／またはブロック図のブロックの組合せはコンピュータプログラム命令として実装されうることが理解されるだろう。これらのコンピュータプログラム命令は、コンピュータまたは他のプログラム可能データ処理装置を介して実行する命令がフローチャート特定された機能／動作および／またはブロック図のブロック（群）を実施する手段を作成するように、マシンを製造するために、汎用コンピュータ、特殊用途コンピュータまたは他のプログラム可能データ処理装置のプロセッサに提供されてもよい。
【００８４】
コンピュータプログラム命令は、ハードディスク、ＣＤ−ＲＯＭ、光記憶装置または集積回路メモリ装置のようなコンピュータで読み取り可能な記憶媒体に記録されうる。コンピュータで読み取り可能な記憶媒体上のこれらのコンピュータプログラム命令は、コンピュータで読み取り可能な記憶媒体に格納された命令がフローチャートおよび／またはブロック図のブロック（群）で特定された機能／動作を実施する命令手段を含む製品を製造するように、コンピュータまたは他のプログラム可能データ処理装置に特定の方法で機能するように命令する。
【００８５】
コンピュータプログラム命令はまた、コンピュータまたは他のプログラム可能装置上で実行する命令が、フローチャートおよび／またはブロック図のブロック（群）で特定された機能／動作を実施するステップを提供するように、処理が実装されたコンピュータを製造するためにコンピュータまたは他のプログラム可能装置上で一連の動作ステップを実行させるコンピュータまたは他のプログラム可能データ処理装置にロードされてもよい。
【００８６】
図面および明細書では、本発明の実施形態が開示され、特定の用語が採用されたが、これらは汎用的かつ説明的な意味でのみ用いられ、限定の目的はなく、本発明の範囲は以下の特許請求の範囲で説明される。
【図１】
2012517726.tif 000012
【図２】
2012517726.tif 000013
【図３】
2012517726.tif 000014
【図４】
2012517726.tif 000015
【図５】
2012517726.tif 000016
【図６】
2012517726.tif 000017
【図７】
2012517726.tif 000018
【図８】
2012517726.tif 000019
【図９】
2012517726.tif 000020
【図１０】
2012517726.tif 000021
【図１１Ａ】
2012517726.tif 000022
【図１１Ｂ】
2012517726.tif 000023
【手続補正書】
【提出日】平成23年5月3日(2011.5.3)
【手続補正１】
【補正対象書類名】特許請求の範囲
【補正対象項目名】全文
【補正方法】変更
【補正の内容】
【特許請求の範囲】
【請求項１】
基地局シミュレータから通信を受信しているＳＦＣ（散乱場チャンバ）内の通信装置受信機回路の特性を決定する方法であって、
前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御する工程と、
前記モード攪拌装置の複数の前記相異なる静止位置のそれぞれにおいて、複数の相異なる送信電力レベルを通じて前記基地局シミュレータからの送信電力レベルを変化させる工程と、
複数の前記送信電力レベルのそれぞれにおいて、通信装置が前記基地局シミュレータから前記通信装置受信機回路を通じて前記通信を受信するビット誤り率を測定する工程と、
前記複数の送信電力レベルのそれぞれにおいて、通信装置が前記基地局シミュレータから前記通信装置受信機回路を通じて前記通信を受信する受信信号強度を測定する工程と、
前記モード攪拌装置の前記複数の相異なる静的位置について、前記測定されたビット誤り率と、前記測定された受信信号強度と、前記関連する送信電力レベルとに応じて前記通信装置受信機回路の等方感度関数と所定のＢＥＲレベル値における等方感度値とを決定する工程と、
前記基地局シミュレータから通信を受信する前記通信装置受信機回路のアクティブアンテナ効率を決定する工程と、
前記モード攪拌装置の前記複数の相異なる静的位置について、前記通信装置受信機回路の絶対全等方感度値を決定する工程と
を有し、
前記通信装置受信機回路の前記絶対全等方感度値の決定は、前記決定された等方感度値と前記決定されたアクティブアンテナ効率とを合計する工程を含む
ことを特徴とする方法。
【請求項２】
前記ビット誤り率の測定は、前記関連する送信電力レベルにおいて前記移動体端末が前記基地局シミュレータから前記通信を受信するフレーム誤り率を測定する工程を含むことを特徴とする請求項１に記載の方法。
【請求項３】
前記ビット誤り率の測定は、前記関連する送信電力レベルにおいて前記移動体端末が前記基地局シミュレータから前記通信を受信するブロック誤り率を測定する工程を含むことを特徴とする請求項１又は２に記載の方法。
【請求項４】
前記全等方感度関数の決定は、
前記モード攪拌装置の前記複数の相異なる静的位置のそれぞれについて、前記測定された受信信号強度と前記基地局シミュレータからの前記関連する送信電力レベルとを用いてＣＡＬ（合成チャンバ・アンテナ損失）値を決定する工程と、
前記モード攪拌装置の前記複数の相異なる静的位置のそれぞれについて、非ゼロのビット誤り率の測定に対応する前記決定されたＣＡＬ値を用いて平均ＣＡＬ値を決定する工程と、
前記モード攪拌装置の前記複数の相異なる静的位置のそれぞれについて決定された前記平均ＣＡＬ値を用いて前記通信装置受信機回路の等方感度を決定する工程と
を含むことを特徴とする請求項１乃至３の何れか１項に記載の方法。
【請求項５】
前記モード攪拌装置の前記複数の相異なる静的位置のそれぞれについて前記ＣＡＬ値を決定する前記工程は、前記基地局シミュレータからの前記関連する送信電力レベルと前記測定された受信信号強度との差を決定する工程を含むことを特徴とする請求項４に記載の方法。
【請求項６】
前記等方感度関数の決定は、前記モード攪拌装置の前記複数の相異なる静止位置のそれぞれについて、非ゼロの測定されたビット誤り率を与える前記基地局シミュレータの電力レベルと前記平均ＣＡＬ値との差に基づいて前記通信装置受信機回路の前記等方感度関数を決定する工程を含むことを特徴とする請求項４又は５に記載の方法。
【請求項７】
前記等方感度値の決定は、前記モード攪拌装置の前記複数の相異なる静的位置について、前記等方感度関数の直線当てはめを実行する工程と、所定のＢＥＲレベル値における値を決定する工程とを含むことを特徴とする請求項６に記載の方法。
【請求項８】
前記通信装置受信機回路の前記アクティブアンテナ効率の決定は、
前記基地局シミュレータからの送信電力レベルをほぼ一定に維持している間に、前記ＳＦＣにおける入射ＲＦ場の偏波を混合するように前記モード攪拌装置を動かしつつ、前記通信装置が前記基地局シミュレータから前記通信を受信する受信信号強度を測定する工程と、
前記受信信号強度の複数の前記測定を時間に関して平均化する工程と、
前記平均化された受信信号強度に基づいて前記アクティブアンテナ効率を決定する工程と
を含むことを特徴とする請求項１乃至７の何れか１項に記載の方法。
【請求項９】
前記ＳＦＣの伝達関数を決定する工程を更に有し、
前記アクティブアンテナ効率は、前記基地局シミュレータからの前記送信電力レベルと、前記ＳＦＣの前記伝達関数及び前記平均化された受信信号強度の合計との差に基づいて決定される
ことを特徴とする請求項８に記載の方法。
【請求項１０】
ＳＦＣ（散乱場チャンバ）内の通信装置受信機回路と通信するように構成された基地局シミュレータと、
ＴＩＳ測定コンピュータと
を備えるシステムであって、
前記ＴＩＳ測定コンピュータは、
前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御し、
前記モード攪拌装置の複数の前記相異なる静止位置のそれぞれにおいて、複数の相異なる送信電力レベルを通じて前記基地局シミュレータからの送信電力レベルを変化させ、
複数の前記送信電力レベルのそれぞれにおいて、通信装置が前記基地局シミュレータから前記通信装置受信機回路を通じて前記通信を受信するビット誤り率を測定し、
前記複数の送信電力レベルのそれぞれにおいて、通信装置が前記基地局シミュレータから前記通信装置受信機回路を通じて前記通信を受信する受信信号強度を測定し、
前記モード攪拌装置の前記複数の相異なる静的位置について、前記測定されたビット誤り率と、前記受信信号強度と、前記関連する送信電力レベルとに応じて前記通信装置受信機回路の等方感度関数と所定のＢＥＲレベル値における等方感度値とを決定し、
前記基地局シミュレータから通信を受信する前記通信装置受信機回路のアクティブアンテナ効率を決定し、
前記モード攪拌装置の前記複数の相異なる静的位置について、前記通信装置受信機回路の絶対全等方感度値を決定する
ように構成され、
前記通信装置受信機回路の前記絶対全等方感度値の決定は、前記等方感度値と前記アクティブアンテナ効率とを合計することを含む
ことを特徴とするシステム。
【請求項１１】
前記ＴＩＳ測定コンピュータは、
前記モード攪拌装置の前記複数の相異なる静的位置のそれぞれについて、前記測定された受信信号強度と前記基地局シミュレータからの前記関連する送信電力レベルとの差に基づいてＣＡＬ（合成チャンバ・アンテナ損失）値を決定し、
前記モード攪拌装置の前記複数の相異なる静的位置のそれぞれについて、非ゼロのビット誤り率の測定に対応する前記決定されたＣＡＬ値を用いて平均ＣＡＬ値を決定し、
前記モード攪拌装置の前記複数の相異なる静的位置のそれぞれについて決定された前記平均ＣＡＬ値を用いて前記通信装置受信機回路の等方感度を決定する
ように更に構成されることを特徴とする請求項１０に記載のシステム。
【請求項１２】
前記ＴＩＳ測定コンピュータは、前記モード攪拌装置の前記複数の相異なる静的位置のそれぞれについて、非ゼロの測定されたビット誤り率を与える前記基地局シミュレータの電力レベルと前記平均ＣＡＬ値との差に基づいて前記通信装置受信機回路の前記等方感度関数を決定するように更に構成されることを特徴とする請求項１１に記載のシステム。
【請求項１３】
前記ＴＩＳ測定コンピュータは、
前記基地局シミュレータからの送信電力レベルがほぼ一定に維持されている間に、前記ＳＦＣにおける入射ＲＦ場の偏波を混合するように前記モード攪拌装置を動かしつつ、前記通信装置が前記基地局シミュレータから前記通信を受信する受信信号強度を測定し、
前記受信信号強度の複数の前記測定を時間に関して平均化し、
前記平均化された受信信号強度に基づいて前記アクティブアンテナ効率を決定する
ように更に構成されることを特徴とする請求項１０乃至１２の何れか１項に記載のシステム。
【請求項１４】
前記ＴＩＳ測定コンピュータは、前記ＳＦＣの伝達関数を決定し、前記基地局シミュレータからの前記送信電力レベルと、前記ＳＦＣの前記伝達関数及び前記平均化された受信信号強度の合計との差に基づいて前記アクティブアンテナ効率を決定するように更に構成されることを特徴とする請求項１３に記載のシステム。
【請求項１５】
基地局シミュレータから通信を受信しているＳＦＣ（散乱場チャンバ）内の通信装置受信機回路の特性を決定するコンピュータプログラム製品であって、
前記コンピュータプログラム製品はコンピュータで読み取り可能なプログラムコードを具現化するコンピュータで読み取り可能な記憶媒体を有し、
前記コンピュータで読み取り可能なプログラムコードは、前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御するように構成され、
前記コンピュータで読み取り可能なプログラムコードは、前記モード攪拌装置の複数の前記相異なる静止位置のそれぞれにおいて、複数の相異なる送信電力レベルを通じて前記基地局シミュレータからの送信電力レベルを変化させるように構成され、
前記コンピュータで読み取り可能なプログラムコードは、複数の前記送信電力レベルのそれぞれにおいて、通信装置が前記基地局シミュレータから前記通信装置受信機回路を通じて前記通信を受信するビット誤り率を測定するように構成され、
前記コンピュータで読み取り可能なプログラムコードは、複数の前記送信電力レベルのそれぞれにおいて、通信装置が前記基地局シミュレータから前記通信装置受信機回路を通じて前記通信を受信する受信信号強度を測定するように構成され、
前記コンピュータで読み取り可能なプログラムコードは、前記モード攪拌装置の前記複数の相異なる静的位置について、前記測定されたビット誤り率と、前記測定された受信信号強度と、前記関連する送信電力レベルとに応じて前記通信装置受信機回路の等方感度関数と所定のＢＥＲレベル値における等方感度値とを決定するように構成され、
前記コンピュータで読み取り可能なプログラムコードは、前記基地局シミュレータから通信を受信する前記通信装置受信機回路のアクティブアンテナ効率を決定するように構成され、
前記コンピュータで読み取り可能なプログラムコードは、前記モード攪拌装置の前記複数の相異なる静的位置について、前記測定されたビット誤り率と、前記測定された受信信号強度と、前記関連する送信電力レベルと、前記通信装置受信機回路の決定されたアクティブアンテナ効率とに応じて前記通信装置受信機回路の絶対全等方感度値を決定するように構成され、
前記通信装置受信機回路の前記絶対全等方感度の決定は、前記決定された等方感度値と前記決定されたアクティブアンテナ効率とを合計することを含む
ことを特徴とするコンピュータプログラム製品。
【手続補正２】
【補正対象書類名】明細書
【補正対象項目名】００５４
【補正方法】変更
【補正の内容】
【００５４】
［等方感度（ＩＳ）］
等方感度曲線はＴＩＳ測定コンピュータ１４０によって、上述の測定された感度曲線と平均ＣＡＬとの差に基づいて決定される。
【手続補正３】
【補正対象書類名】図面
【補正対象項目名】図１１Ａ
【補正方法】変更
【補正の内容】
【図１１Ａ】
2012517726.tif 000024
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
基地局シミュレータから通信を受信しているＳＦＣ（散乱場チャンバ）内の通信装置受信機回路の特性を決定する方法であって、
前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御する工程と、
前記モード攪拌装置の複数の前記相異なる静止位置のそれぞれにおいて、複数の相異なる送信電力レベルを通じて前記基地局シミュレータからの送信電力レベルを変化させる工程と、
複数の前記送信電力レベルのそれぞれにおいて、通信装置が前記基地局シミュレータから前記通信装置受信機回路を通じて前記通信を受信するビット誤り率を測定する工程と、
前記複数の送信電力レベルのそれぞれにおいて、通信装置が前記基地局シミュレータから前記通信装置受信機回路を通じて前記通信を受信する受信信号強度を測定する工程と、
前記モード攪拌装置の前記複数の相異なる静的位置について、前記測定されたビット誤り率と、前記測定された受信信号強度と、前記関連する送信電力レベルとに応じて前記通信装置受信機回路の等方感度関数と所定のＢＥＲレベル値における等方感度値とを決定する工程と、
前記基地局シミュレータから通信を受信する前記通信装置受信機回路のアクティブアンテナ効率を決定する工程と、
前記モード攪拌装置の前記複数の相異なる静的位置について、前記通信装置受信機回路の絶対全等方感度値を決定する工程と
を有し、
前記通信装置受信機回路の前記絶対全等方感度値の決定は、前記決定された等方感度値と前記決定されたアクティブアンテナ効率とを合計する工程を含む
ことを特徴とする方法。
【請求項２】
前記ビット誤り率の測定は、前記関連する送信電力レベルにおいて前記通信装置が前記基地局シミュレータから前記通信を受信するフレーム誤り率を測定する工程を含むことを特徴とする請求項１に記載の方法。
【請求項３】
前記ビット誤り率の測定は、前記関連する送信電力レベルにおいて前記通信装置が前記基地局シミュレータから前記通信を受信するブロック誤り率を測定する工程を含むことを特徴とする請求項１又は２に記載の方法。
【請求項４】
前記全等方感度関数の決定は、
前記モード攪拌装置の前記複数の相異なる静的位置のそれぞれについて、前記測定された受信信号強度と前記基地局シミュレータからの前記関連する送信電力レベルとを用いてＣＡＬ（合成チャンバ・アンテナ損失）値を決定する工程と、
前記モード攪拌装置の前記複数の相異なる静的位置のそれぞれについて、非ゼロのビット誤り率の測定に対応する前記決定されたＣＡＬ値を用いて平均ＣＡＬ値を決定する工程と、
前記モード攪拌装置の前記複数の相異なる静的位置のそれぞれについて決定された前記平均ＣＡＬ値を用いて前記通信装置受信機回路の等方感度を決定する工程と
を含むことを特徴とする請求項１乃至３の何れか１項に記載の方法。
【請求項５】
前記モード攪拌装置の前記複数の相異なる静的位置のそれぞれについて前記ＣＡＬ値を決定する前記工程は、前記基地局シミュレータからの前記関連する送信電力レベルと前記測定された受信信号強度との差を決定する工程を含み、
前記等方感度関数の決定は、前記モード攪拌装置の前記複数の相異なる静止位置のそれぞれについて、非ゼロの測定されたビット誤り率を与える前記基地局シミュレータの電力レベルと前記平均ＣＡＬ値との差に基づいて前記通信装置受信機回路の前記等方感度関数を決定する工程を含み、
前記等方感度値の決定は、前記モード攪拌装置の前記複数の相異なる静的位置について、前記等方感度関数の直線当てはめを実行する工程と、所定のＢＥＲレベル値における値を決定する工程とを含む
ことを特徴とする請求項４に記載の方法。
【請求項６】
前記通信装置受信機回路の前記アクティブアンテナ効率の決定は、
前記基地局シミュレータからの送信電力レベルをほぼ一定に維持している間に、前記ＳＦＣにおける入射ＲＦ場の偏波を混合するように前記モード攪拌装置を動かしつつ、前記通信装置が前記基地局シミュレータから前記通信を受信する受信信号強度を測定する工程と、
前記受信信号強度の複数の前記測定を時間に関して平均化する工程と、
前記平均化された受信信号強度に基づいて前記アクティブアンテナ効率を決定する工程と、
前記ＳＦＣの伝達関数を決定する工程と
を含み、
前記アクティブアンテナ効率は、前記基地局シミュレータからの前記送信電力レベルと、前記ＳＦＣの前記伝達関数及び前記平均化された受信信号強度の合計との差に基づいて決定される
ことを特徴とする請求項１乃至５の何れか１項に記載の方法。
【請求項７】
ＳＦＣ（散乱場チャンバ）内の通信装置受信機回路と通信するように構成された基地局シミュレータと、
ＴＩＳ測定コンピュータと
を備えるシステムであって、
前記ＴＩＳ測定コンピュータは、
前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御し、
前記モード攪拌装置の複数の前記相異なる静止位置のそれぞれにおいて、複数の相異なる送信電力レベルを通じて前記基地局シミュレータからの送信電力レベルを変化させ、
複数の前記送信電力レベルのそれぞれにおいて、通信装置が前記基地局シミュレータから前記通信装置受信機回路を通じて前記通信を受信するビット誤り率を測定し、
前記複数の送信電力レベルのそれぞれにおいて、通信装置が前記基地局シミュレータから前記通信装置受信機回路を通じて前記通信を受信する受信信号強度を測定し、
前記モード攪拌装置の前記複数の相異なる静的位置について、前記測定されたビット誤り率と、前記受信信号強度と、前記関連する送信電力レベルとに応じて前記通信装置受信機回路の等方感度関数と所定のＢＥＲレベル値における等方感度値とを決定し、
前記基地局シミュレータから通信を受信する前記通信装置受信機回路のアクティブアンテナ効率を決定し、
前記モード攪拌装置の前記複数の相異なる静的位置について、前記通信装置受信機回路の絶対全等方感度値を決定する
ように構成され、
前記通信装置受信機回路の前記絶対全等方感度値の決定は、前記等方感度値と前記アクティブアンテナ効率とを合計することを含む
ことを特徴とするシステム。
【請求項８】
前記ＴＩＳ測定コンピュータは、
前記モード攪拌装置の前記複数の相異なる静的位置のそれぞれについて、前記測定された受信信号強度と前記基地局シミュレータからの前記関連する送信電力レベルとの差に基づいてＣＡＬ（合成チャンバ・アンテナ損失）値を決定し、
前記モード攪拌装置の前記複数の相異なる静的位置のそれぞれについて、非ゼロのビット誤り率の測定に対応する前記決定されたＣＡＬ値を用いて平均ＣＡＬ値を決定し、
前記モード攪拌装置の前記複数の相異なる静的位置のそれぞれについて決定された前記平均ＣＡＬ値を用いて前記通信装置受信機回路の等方感度を決定する
ように更に構成されることを特徴とする請求項７に記載のシステム。
【請求項９】
前記ＴＩＳ測定コンピュータは、
前記モード攪拌装置の前記複数の相異なる静的位置のそれぞれについて、非ゼロの測定されたビット誤り率を与える前記基地局シミュレータの電力レベルと前記平均ＣＡＬ値との差に基づいて前記通信装置受信機回路の前記等方感度関数を決定し、
前記基地局シミュレータからの送信電力レベルがほぼ一定に維持されている間に、前記ＳＦＣにおける入射ＲＦ場の偏波を混合するように前記モード攪拌装置を動かしつつ、前記通信装置が前記基地局シミュレータから前記通信を受信する受信信号強度を測定し、
前記受信信号強度の複数の前記測定を時間に関して平均化し、
前記平均化された受信信号強度に基づいて前記アクティブアンテナ効率を決定し、
前記ＳＦＣの伝達関数を決定し、
前記基地局シミュレータからの前記送信電力レベルと、前記ＳＦＣの前記伝達関数及び前記平均化された受信信号強度の合計との差に基づいて前記アクティブアンテナ効率を決定する
ように更に構成されることを特徴とする請求項８に記載のシステム。
【請求項１０】
基地局シミュレータから通信を受信しているＳＦＣ（散乱場チャンバ）内の通信装置受信機回路の特性を決定する方法をコンピュータに実行させるためのコンピュータプログラムであって、前記方法は、
前記ＳＦＣにおける入射ＲＦ場の偏波を異なるように混合するように構成された複数の相異なる静的位置に前記ＳＦＣ内のモード攪拌装置を順次動かすように前記モード攪拌装置の運動を制御する工程と、
前記モード攪拌装置の複数の前記相異なる静止位置のそれぞれにおいて、複数の相異なる送信電力レベルを通じて前記基地局シミュレータからの送信電力レベルを変化させる工程と、
複数の前記送信電力レベルのそれぞれにおいて、通信装置が前記基地局シミュレータから前記通信装置受信機回路を通じて前記通信を受信するビット誤り率を測定する工程と、
前記複数の送信電力レベルのそれぞれにおいて、通信装置が前記基地局シミュレータから前記通信装置受信機回路を通じて前記通信を受信する受信信号強度を測定する工程と、
前記モード攪拌装置の前記複数の相異なる静的位置について、前記測定されたビット誤り率と、前記測定された受信信号強度と、前記関連する送信電力レベルとに応じて前記通信装置受信機回路の等方感度関数と所定のＢＥＲレベル値における等方感度値とを決定する工程と、
前記基地局シミュレータから通信を受信する前記通信装置受信機回路のアクティブアンテナ効率を決定する工程と、
前記モード攪拌装置の前記複数の相異なる静的位置について、前記通信装置受信機回路の絶対全等方感度値を決定する工程と
を有し、
前記通信装置受信機回路の前記絶対全等方感度値の決定は、前記決定された等方感度値と前記決定されたアクティブアンテナ効率とを合計する工程を含む
ことを特徴とするコンピュータプログラム。
【国際調査報告】
2012517726.tif 000025
2012517726.tif 000026